(57)【要約】【課題】電話機の使用者への着信通知前に発信元の会話の意思の有無を確認することで、「ワン切り」などの迷惑電話をブロックし利便性および使用者の安全性を高める。【解決手段】メモリに登録されていない電話番号から着信があった場合、本発明にかかる電話機は自動的にオフフックして応答メッセージを再生し、オフフックから所定時間経過前に電話が切れた場合、上記番号を異常番号としてメモリに登録する。その後当該番号から着信があったときは、（１）自動的にオフフックして応答メッセージを再生するとともに、▲１▼オフフックから所定時間経過前に電話が切れた場合は、着信があった旨のみ使用者に通知▲２▼オフフックから所定時間経過後も電話が切られなかった場合は、着信音などによる使用者への着信通知（２）自動的にオフフックした後ただちにオフフック（自動即切り）、のいずれかの処理を行う。【選択図】      図４
2004260354.tif 000002
【特許請求の範囲】
【請求項１】
電話番号などを登録するためのメモリを備えた電話機の着信制御方法であって、
発信元の電話番号が前記メモリに登録されているか否かを判定する第１の判定工程と、
前記第１の判定工程で前記電話番号が前記メモリに登録されていないと判定された場合にオフフックを実行するオフフック工程と、
前記オフフック工程で実行された前記オフフックからの時間を計測する計測工程と、
前記計測工程で計測された時間が所定時間に達するまでの間に発信が放棄されたか否かを判定する第２の判定工程と、
前記第２の判定工程で前記計測された時間が前記所定時間に達するまでの間に発信が放棄されなかったと判定された場合に、使用者に対して着信を通知する着信通知工程と、
を含んだことを特徴とする電話機の着信制御方法。
【請求項２】
電話番号などを登録するためのメモリを備えた電話機の着信制御方法であって、
発信元の電話番号が前記メモリに登録されているか否かを判定する第１の判定工程と、
前記第１の判定工程で前記電話番号が前記メモリに登録されていないと判定された場合にオフフックを実行するオフフック工程と、
前記オフフック工程で実行された前記オフフックからの時間を計測する計測工程と、
前記計測工程で計測された時間が所定時間に達するまでの間に発信が放棄されたか否かを判定する第２の判定工程と、
前記第２の判定工程で前記計測された時間が前記所定時間に達するまでの間に発信が放棄されたと判定された場合に、前記電話番号を異常番号として前記メモリに登録する登録工程と、
を含んだことを特徴とする電話機の着信制御方法。
【請求項３】
さらに、発信元の電話番号が前記異常番号として前記メモリに登録されているか否かを判定する第３の判定工程と、
前記第３の判定工程で前記電話番号が前記異常番号として前記メモリに登録されていると判定された場合にオフフックを実行する第２のオフフック工程と、
前記第２のオフフック工程で前記オフフックが実行されてからの時間を計測する第２の計測工程と、
前記第２の計測工程で計測された時間が所定時間に達するまでの間に発信が放棄されたか否かを判定する第４の判定工程と、
前記第４の判定工程で前記計測された時間が前記所定時間に達するまでの間に発信が放棄されなかったと判定された場合に、使用者に対して着信を通知する着信通知工程と、
を含んだことを特徴とする前記請求項２に記載の電話機の着信制御方法。
【請求項４】
電話番号などを登録するためのメモリを備えた電話機の着信制御を行う着信制御プログラムであって、
発信元の電話番号が前記メモリに登録されているか否かを判定する第１の判定工程と、
前記第１の判定工程で前記電話番号が前記メモリに登録されていないと判定された場合にオフフックを実行するオフフック工程と、
前記オフフック工程で実行された前記オフフックからの時間を計測する計測工程と、
前記計測工程で計測された時間が所定時間に達するまでの間に発信が放棄されたか否かを判定する第２の判定工程と、
前記第２の判定工程で前記計測された時間が前記所定時間に達するまでの間に発信が放棄されなかったと判定された場合に、使用者に対して着信を通知する着信通知工程と、
を含んだことを特徴とする着信制御プログラム。
【請求項５】
電話番号などを登録するためのメモリを備えた電話機であって、
発信元の電話番号が前記メモリに登録されているか否かを判定する第１の判定手段と、
前記第１の判定手段により前記電話番号が前記メモリに登録されていないと判定された場合にオフフックを実行するオフフック手段と、
前記オフフック手段により実行された前記オフフックからの時間を計測する計測手段と、
前記計測手段により計測された時間が所定時間に達するまでの間に発信が放棄されたか否かを判定する第２の判定手段と、
前記第２の判定手段により前記計測された時間が前記所定時間に達するまでの間に発信が放棄されなかったと判定された場合に、使用者に対して着信を通知する着信通知手段と、
を備えたことを特徴とする電話機。
【発明の詳細な説明】
【０００１】
【発明の属する技術分野】
この発明は固定電話、移動携帯電話、自動車電話、簡易携帯電話（ＰＨＳ）などの電話機であって、発信元の電話番号を特定することができ、かつ特定した電話番号を付加情報とともにメモリに保存することができるような電話機の着信制御方法、着信制御プログラムおよび該電話機に関する。
【０００２】
【従来の技術】
いたずらやセールスといった迷惑電話を回避するため、従来の電話機の中には、電話を掛けてきた相手（以下では「発信元」という）の電話番号に応じて着信時の処理を切り替えるものがある。たとえば、着信時に通知される発信元の電話番号が着信拒否対象としてメモリに登録されている場合、該番号と対応づけて保持されている処理の種別、具体的には「無音」「自動応答」などに従って着信動作を行うものである（たとえば、特許文献１参照。）。
【０００３】
【特許文献１】
特開平１０−４２０３６号公報
【０００４】
【発明が解決しようとする課題】
しかしながら従来の電話機では、あらかじめ登録されている電話番号について所定の対応を選択しうるにとどまり、未登録の番号から電話が掛かってきた場合は、電話を受けた本人（以下では「着信先」という）が対応を判断しなければならない。このとき着信先が電話に出られなかったり、出る前に電話が切れてしまったりした場合、着信先では着信履歴に残された番号に対して、折り返し掛けるかどうかを判断しなければならない。
【０００５】
ここで、未登録かつ未知の番号からであって、しかも着信後すぐに切れてしまったような電話は、経験的に間違い電話である可能性が高い（発信元が掛け先の誤りに気付いて、すぐに切った可能性が高い）。そして着信先がそうとも知らず電話を掛け直した場合、発信元の誤操作のために通話料金を無駄にしてしまうことになる。
【０００６】
また、初めて見る番号の着信履歴があれば掛け直すであろうといった、人の親切心を悪用する悪徳業者が存在し、社会的に問題となっている。これは着信先がすぐには出られないくらい短い時間だけ発信してすぐ切ることで（いわゆる「ワン切り」）、着信履歴に番号だけを残し、着信先が該番号に掛け直してくると広告などの案内テープを流して、後日情報料や延滞料といった名目で高額な料金を請求するものである。
【０００７】
このようなトラブルに巻き込まれないための対処法として、▲１▼未知の番号には掛け直さない、▲２▼該番号を着信拒否対象として設定する、▲３▼着信後０秒で自動応答するように設定する（「ワン切り」のような短時間の発信を、着信後ワンコール以内に手動でオフフックすることは通常困難なため）、といったことが叫ばれているが、上記の対処法ではまだいくつか問題が残る。
【０００８】
たとえば上記▲２▼の対処法は、着信先があらかじめその番号を知っているか、少なくとも一回着信があって初めて登録できるわけであり、初めて着信する未知の番号には適用できない。その一回目の着信が就寝中だった場合などは、突然の電話で起こされてしまい非常に迷惑である。就寝中は着信音を消して留守番電話に応答させることもできるが、そうすると必要な電話や緊急の電話なども取れなくなってしまう。
【０００９】
また、上記▲３▼の設定は悪徳業者以外からの電話にも適用されてしまうので、たとえば着信先が電話に出られない状況にあるのにこの設定をしたままだと、自動応答により発信元に課金が発生するうえ、今は話ができないので結局掛け直してもらうか、こちらから掛け直すことになり、悪徳業者でない一般の人々にまで迷惑が及ぶことになる。
【００１０】
この発明は上記従来技術による問題を解決するため、使用者への着信通知に先立って発信元の会話の意思の有無を確認し、当該意思のない間違い電話や、いわゆる「ワン切り」などを取り次がないようにすることで、利便性および使用者の安全性を高めることが可能な電話機の着信制御方法、着信制御プログラムおよび電話機を提供することを目的とする。
【００１１】
【課題を解決するための手段】
上述した課題を解決し、目的を達成するため、この発明にかかる電話機の着信制御方法、着信制御プログラムまたは電話機は、発信元の電話番号がメモリに登録されていないときは、オフフックするとともに当該オフフックからの時間を計測して、当該時間が所定時間に達するまでの間に発信が放棄されなかった場合に、使用者に対して着信を通知することを特徴とする。
【００１２】
また、この発明にかかる着信制御方法は、発信元の電話番号がメモリに登録されていないときは、オフフックするとともに当該オフフックからの時間を計測して、当該時間が所定時間に達するまでの間に発信が放棄された場合には、当該電話番号を異常番号としてメモリに登録することを特徴とする。
【００１３】
また、この発明にかかる着信制御方法は、発信元の電話番号が前記異常番号としてメモリに登録されているときは、オフフックするとともに当該オフフックからの時間を計測して、当該時間が所定時間に達するまでの間に発信が放棄されなかった場合に、使用者に対して着信を通知することを特徴とする。
【００１４】
これらの発明によって、メモリに登録されていない番号や以前すぐに切られたことのある番号から電話の着信があったときは、自動応答後の発信元の行動（すぐに切る、しばらく待つなど）から会話の意思の有無が判定され、会話の意思ありと判定された場合のみ着信先が実際に呼び出される。
【００１５】
【発明の実施の形態】
以下に添付図面を参照して、この発明にかかる電話機の着信制御方法、着信制御プログラムおよび電話機の好適な実施の形態を詳細に説明する。なお、以下で説明する着信制御機能は、当該機能の一部、またはすべてを回路またはソフトウェアで実現することも可能である。
【００１６】
図１は、この発明の本実施の形態にかかる電話機の全体構成を示す説明図である。図示するように本実施の形態にかかる電話機は、発信時の処理を行う発信制御部１、発／着信時の操作・電話番号の登録／登録解除・後述するタイマ８による計測時間の設定などを行うための各種ボタンからなる操作部２、発信元の個人情報や後述する各種メッセージなどを表示する表示部３、着信時の鳴動や応答メッセージ再生などの処理を行う着信制御部４、発／着信履歴・電話番号（通常の番号や後述する異常番号）などを保持するＲＡＭ５、ソフトウェアなどを保持するＲＯＭ６、後述するタイマ８の起動・停止などを制御するタイマ制御部７、タイマ制御部７の制御下で動作するタイマ８、音声入力のためのマイクロフォンや、音声出力のためのスピーカーなどからなる入出力部９、および上記各部の動作を制御する制御部１０を含む構成である。
【００１７】
次に、本実施の形態にかかる電話機の着信制御機能について、図２〜図４により説明する。図２は、電話が着信したときの着信処理全体の手順を示すフローチャートである。また、図３は発信元の電話番号が未登録番号であった場合の着信処理（図２ステップＳ５）、図４は発信元の電話番号が後述する異常番号であった場合の着信処理（図２ステップＳ６）の手順を、それぞれ詳細に示すフローチャートである。
【００１８】
図２において、まず着信制御部４から電話機への着信を通知されると（ステップＳ１：Ｙｅｓ）、制御部１０はまず当該着信について発信元番号が通知されているかどうかを判定する（ステップＳ２）。そして、発信元番号が通知されていない場合は（ステップＳ２：Ｎｏ）、非通知設定の着信としてＲＡＭ５内の着信履歴（あるいは不在着信履歴。以下同じ）に保存し（ステップＳ７）、着信制御部４を制御して通常通りの着信処理を行う（ステップＳ８）。
【００１９】
一方、発信元番号の通知があった場合は（ステップＳ２：Ｙｅｓ）、制御部１０は該番号を取得するとともに、該番号がＲＡＭ５に登録されているかどうかを判定する（ステップＳ３）。そして、該番号がＲＡＭ５に登録されていない場合は（ステップＳ３：Ｎｏ）、図３で詳述する未登録番号着信処理に移行する（ステップＳ５）。
【００２０】
また、発信元番号がＲＡＭ５に登録されている場合（ステップＳ３：Ｙｅｓ）、制御部１０は該番号が異常番号として登録されているかどうかを判定し（ステップＳ４）、異常番号として登録されている場合は（ステップＳ４：Ｙｅｓ）、図４で詳述する異常番号着信処理（ステップＳ６）に移行する。一方、発信元番号の登録が異常番号としてではない場合（ステップＳ４：Ｎｏ）、制御部１０は該番号をＲＡＭ５内の着信履歴に保存し（ステップＳ７）、着信制御部４を制御して通常通りの着信処理を行う（ステップＳ８）。
【００２１】
次に、図２に示した未登録番号着信処理（ステップＳ５）について、図３により詳細に説明する。発信元番号が未登録番号であった場合、制御部１０はまずこの電話機に即オフフック設定がされているかどうかを判定する（ステップＳ５１）。そして、即オフフック設定がされていない場合（ステップＳ５１：Ｎｏ）、は後述するステップＳ５６に移行する一方、即オフフック設定がされている場合は（ステップＳ５１：Ｙｅｓ）、着信制御部４を制御して実際にオフフックさせるとともに（ステップＳ５２）、タイマ制御部７に指示してタイマ８をスタートさせる（ステップＳ５３）。さらに、発信元に対して「ただいま呼び出し中です」などの自動応答メッセージを送信する（ステップＳ５４）。
【００２２】
タイマ制御部７は、あらかじめ設定された時間が経過するとタイマ８を停止し、上記時間の経過の事実を制御部１０に通知する。制御部１０ではタイマ制御部７から上記通知があるまでの間（上記時間が経過するまでの間、と言ってもよい）に発信元が発信を放棄しなかった場合、すなわち発信元が自動応答メッセージの再生中、電話を切らず所定時間以上待機していた場合に（ステップＳ５５：Ｎｏ）、使用者への着信通知たとえば着信音鳴動を行い（ステップＳ５６）、発信元の電話番号をＲＡＭ５内の着信履歴に保存するとともに（ステップＳ５７）、着信制御部４を制御して通常通りの着信処理を行う（ステップＳ５８）。
【００２３】
一方、上記時間内に発信元が発信を放棄した場合（ステップＳ５５：Ｙｅｓ）、制御部１０は着信制御部４を制御してオンフックさせるとともに（ステップＳ５９）、発信元の電話番号を異常番号としてＲＡＭ５に登録し（ステップＳ５１０）、その旨を使用者に通知する（ステップＳ５１１）。具体的には、たとえば表示部３を制御して「設定時間内に電話が切れたので異常番号として登録しました」などのメッセージを表示させる。
【００２４】
上記の説明からも分かるように、タイマ８により計測される時間は、電話機がオフフックしてから使用者に着信を通知するまでの時間である。いわゆる「ワン切り」は、呼出音（リングバックトーン）を１回だけ鳴らして切る場合が多いので、上記時間は最低１秒以上に設定するのが望ましい。
【００２５】
次に、図２に示した異常番号着信処理（ステップＳ６）について、図４により詳細に説明する。発信元番号が図３のステップＳ５１０で登録された異常番号であった場合、制御部１０はまずこの電話機に即オフフック設定がされているかどうかを判定する（ステップＳ６１）。
【００２６】
そして即オフフック設定がされている場合（ステップＳ６１：Ｙｅｓ）、次に自動即切り設定がされているかどうかを判定し（ステップＳ６２）、自動即切り設定がされている場合は（ステップＳ６２：Ｙｅｓ）、着信制御部４を制御してオフフック（ステップＳ６１０）の後ただちにオンフック（ステップＳ６１１）するとともに、異常番号から着信があった旨と自動即切りした旨とを使用者に通知する（ステップＳ６１２）。
【００２７】
上記の説明からも分かるように、自動即切りとは迷惑電話がかかってきた場合の対処法の一つで、着信があったら即オフフックした後、即オンフックすることである。この設定をしておくことで、あらかじめ異常番号として登録された番号に対して、電話を切られる前に即座に電話をつなぎ、発信元に課金を発生させることができる。
【００２８】
一方、即オフフック設定はあるものの自動即切り設定はされていない場合（ステップＳ６１：Ｙｅｓ、ステップＳ６２：Ｎｏ）には、制御部１０は着信制御部４を制御してオフフックするとともに（ステップＳ６３）、タイマ制御部７に指示してタイマ８をスタートさせる（ステップＳ６４）。また、タイマ８による時間計測と平行して、あらかじめ用意された自動応答メッセージ（「ただいま呼び出し中です」など）が発信元へ送信される（ステップＳ６５）。
【００２９】
タイマ制御部７は、あらかじめ設定された時間が経過するとタイマ８を停止し、上記時間の経過の事実を制御部１０に通知する。制御部１０ではタイマ制御部７から上記通知があるまでの間に発信元が発信を放棄しなかった場合に（ステップＳ６６：Ｎｏ）、使用者への着信通知たとえば着信音鳴動を行い（ステップＳ６７）、発信元の電話番号をＲＡＭ５内の着信履歴に保存するとともに（ステップＳ６８）、着信制御部４を制御して通常通りの着信処理を行う（ステップＳ６９）。
【００３０】
一方、上記時間内に発信元が発信を放棄した場合（ステップＳ６６：Ｙｅｓ）、制御部１０は着信制御部４を制御してオンフックさせるとともに（ステップＳ６１１）、異常番号から着信があった旨を使用者に通知する（ステップＳ６１２）。
【００３１】
なお、そもそも即オフフック設定がされていない場合（ステップＳ６１：Ｎｏ）は、制御部１０はその他の対処、たとえば発信元に対して呼出音を鳴らさない（無音）、発信元が発信を止めるまでオフフックしないなどの設定があるかどうかを判定し（ステップＳ６１３）、これらの設定があれば（ステップＳ６１３：Ｙｅｓ）当該設定に応じた処理を行うとともに（ステップＳ６１４）、異常番号から着信があった旨を使用者に通知する（ステップＳ６１５）。
【００３２】
また、異常番号について特に何の設定もされていないときは（ステップＳ６１３：Ｎｏ）、ステップＳ６７に移行して、異常番号でない電話番号から着信があったときと同様、着信音鳴動などの通常の着信処理を行う（ステップＳ６７〜Ｓ６９）。
【００３３】
以上説明したように本発明による電話機の着信制御機能によれば、未登録の電話番号や、以前かかってきてすぐに切れたことのある電話番号から着信があった場合には、所定時間以上発信元が電話を切らない場合に限って着信通知がなされるので、初めてかかってくる番号でも、本当に通話したい人からの電話なのか、会話する意思のない迷惑電話なのかを区別することができる。これにより、着信先の使用者は迷惑電話に伴う煩雑な受話操作から解放されるとともに、「ワン切り」などの悪徳業者とのトラブルを未然に回避できる。
【００３４】
また、いったん異常番号として登録された番号でも、自動即切り設定をしない限りは未登録番号からの電話と同様、発信元が発信を放棄するかどうか所定時間だけ様子を見るので、会話の意思の有無を再確認することができる。一方、自動即切り設定をした場合には、いわゆる「ワン切り」のような悪質な迷惑電話の相手方に即課金することができ、悪徳業者の撲滅につながるという効果がある。
【００３５】
なお、上述した実施の形態では「ワン切り」のように異常に早く発信放棄をした番号をメモリに自動登録することで、使用者による特段の登録作業を不要としたが、使用者が特定の電話番号を異常番号として、個別に登録できるようにしてももちろんよい。新規に入力した電話番号を異常番号として登録するか、既に登録されている電話番号（通常の電話番号）を異常番号として登録するかを問わない。
【００３６】
またタイマ８により計測される時間も、使用者が操作部２を操作することで任意に設定できるようにしてもよい。最近は「ワン切り」だけでなく、着信音を２回鳴らして切る「ツー切り」などもあるようなので、このように着信通知までの待ち時間を自由に設定・変更可能としておくことで、様々な形態の迷惑電話に対応できる。
【００３７】
（付記１）電話番号などを登録するためのメモリを備えた電話機の着信制御方法であって、
発信元の電話番号が前記メモリに登録されているか否かを判定する第１の判定工程と、
前記第１の判定工程で前記電話番号が前記メモリに登録されていないと判定された場合にオフフックを実行するオフフック工程と、
前記オフフック工程で実行された前記オフフックからの時間を計測する計測工程と、
前記計測工程で計測された時間が所定時間に達するまでの間に発信が放棄されたか否かを判定する第２の判定工程と、
前記第２の判定工程で前記計測された時間が前記所定時間に達するまでの間に発信が放棄されなかったと判定された場合に、使用者に対して着信を通知する着信通知工程と、
を含んだことを特徴とする電話機の着信制御方法。
【００３８】
（付記２）電話番号などを登録するためのメモリを備えた電話機の着信制御方法であって、
発信元の電話番号が前記メモリに登録されているか否かを判定する第１の判定工程と、
前記第１の判定工程で前記電話番号が前記メモリに登録されていないと判定された場合にオフフックを実行するオフフック工程と、
前記オフフック工程で実行された前記オフフックからの時間を計測する計測工程と、
前記計測工程で計測された時間が所定時間に達するまでの間に発信が放棄されたか否かを判定する第２の判定工程と、
前記第２の判定工程で前記計測された時間が前記所定時間に達するまでの間に発信が放棄されたと判定された場合に、前記電話番号を異常番号として前記メモリに登録する登録工程と、
を含んだことを特徴とする電話機の着信制御方法。
【００３９】
（付記３）さらに、発信元の電話番号が前記異常番号として前記メモリに登録されているか否かを判定する第３の判定工程と、
前記第３の判定工程で前記電話番号が前記異常番号として前記メモリに登録されていると判定された場合にオフフックを実行する第２のオフフック工程と、
前記第２のオフフック工程で前記オフフックが実行されてからの時間を計測する第２の計測工程と、
前記第２の計測工程で計測された時間が所定時間に達するまでの間に発信が放棄されたか否かを判定する第４の判定工程と、
前記第４の判定工程で前記計測された時間が前記所定時間に達するまでの間に発信が放棄されなかったと判定された場合に、使用者に対して着信を通知する着信通知工程と、
を含んだことを特徴とする前記付記２に記載の電話機の着信制御方法。
【００４０】
（付記４）さらに、発信元の電話番号が前記異常番号として前記メモリに登録されているか否かを判定する第３の判定工程と、
前記第３の判定工程で前記電話番号が前記異常番号として前記メモリに登録されていると判定された場合にオフフックを実行する第２のオフフック工程と、
前記第２のオフフック工程で実行された前記オフフックの後ただちにオンフックするオンフック工程と、
を含んだことを特徴とする前記付記２に記載の電話機の着信制御方法。
【００４１】
（付記５）前記計測工程で計測される所定時間は前記使用者により任意に設定されることを特徴とする前記付記１〜付記３のいずれか一つに記載の電話機の着信制御方法。
【００４２】
（付記６）電話番号などを登録するためのメモリを備えた電話機の着信制御を行う着信制御プログラムであって、
発信元の電話番号が前記メモリに登録されているか否かを判定する第１の判定工程と、
前記第１の判定工程で前記電話番号が前記メモリに登録されていないと判定された場合にオフフックを実行するオフフック工程と、
前記オフフック工程で実行された前記オフフックからの時間を計測する計測工程と、
前記計測工程で計測された時間が所定時間に達するまでの間に発信が放棄されたか否かを判定する第２の判定工程と、
前記第２の判定工程で前記計測された時間が前記所定時間に達するまでの間に発信が放棄されなかったと判定された場合に、使用者に対して着信を通知する着信通知工程と、
を含んだことを特徴とする着信制御プログラム。
【００４３】
（付記７）電話番号などを登録するためのメモリを備えた電話機の着信制御を行う着信制御プログラムであって、
発信元の電話番号が前記メモリに登録されているか否かを判定する第１の判定工程と、
前記第１の判定工程で前記電話番号が前記メモリに登録されていないと判定された場合にオフフックを実行するオフフック工程と、
前記オフフック工程で実行された前記オフフックからの時間を計測する計測工程と、
前記計測工程で計測された時間が所定時間に達するまでの間に発信が放棄されたか否かを判定する第２の判定工程と、
前記第２の判定工程で前記計測された時間が前記所定時間に達するまでの間に発信が放棄されたと判定された場合に、前記電話番号を異常番号として前記メモリに登録する登録工程と、
を含んだことを特徴とする着信制御プログラム。
【００４４】
（付記８）さらに、発信元の電話番号が前記異常番号として前記メモリに登録されているか否かを判定する第３の判定工程と、
前記第３の判定工程で前記電話番号が前記異常番号として前記メモリに登録されていると判定された場合にオフフックを実行する第２のオフフック工程と、
前記第２のオフフック工程で前記オフフックが実行されてからの時間を計測する第２の計測工程と、
前記第２の計測工程で計測された時間が所定時間に達するまでの間に発信が放棄されたか否かを判定する第４の判定工程と、
前記第２の計測工程で計測された時間が所定時間に達するまでの間に発信が放棄されたか否かを判定する第４の判定工程と、
前記第４の判定工程で前記計測された時間が前記所定時間に達するまでの間に発信が放棄されなかったと判定された場合に、使用者に対して着信を通知する着信通知工程と、
を含んだことを特徴とする前記付記７に記載の着信制御プログラム。
【００４５】
（付記９）さらに、発信元の電話番号が前記異常番号として前記メモリに登録されているか否かを判定する第３の判定工程と、
前記第３の判定工程で前記電話番号が前記異常番号として前記メモリに登録されていると判定された場合にオフフックを実行する第２のオフフック工程と、
前記第２のオフフック工程で実行された前記オフフックの後ただちにオンフックするオンフック工程と、
を含んだことを特徴とする前記付記７に記載の着信制御プログラム。
【００４６】
（付記１０）前記計測工程で計測される所定時間は前記使用者により任意に設定されることを特徴とする前記付記６〜付記８のいずれか一つに記載の着信制御プログラム。
【００４７】
（付記１１）電話番号などを登録するためのメモリを備えた電話機であって、
発信元の電話番号が前記メモリに登録されているか否かを判定する第１の判定手段と、
前記第１の判定手段により前記電話番号が前記メモリに登録されていないと判定された場合にオフフックを実行するオフフック手段と、
前記オフフック手段により実行された前記オフフックからの時間を計測する計測手段と、
前記計測手段により計測された時間が所定時間に達するまでの間に発信が放棄されたか否かを判定する第２の判定手段と、
前記第２の判定手段により前記計測された時間が前記所定時間に達するまでの間に発信が放棄されなかったと判定された場合に、使用者に対して着信を通知する着信通知手段と、
を備えたことを特徴とする電話機。
【００４８】
（付記１２）電話番号などを登録するためのメモリを備えた電話機であって、
発信元の電話番号が前記メモリに登録されているか否かを判定する第１の判定手段と、
前記第１の判定手段により前記電話番号が前記メモリに登録されていないと判定された場合にオフフックを実行するオフフック手段と、
前記オフフック手段により実行された前記オフフックからの時間を計測する計測手段と、
前記計測手段により計測された時間が所定時間に達するまでの間に発信が放棄されたか否かを判定する第２の判定手段と、
前記第２の判定手段により前記計測された時間が前記所定時間に達するまでの間に発信が放棄されたと判定された場合に、前記電話番号を異常番号として前記メモリに登録する登録手段と、
を備えたことを特徴とする電話機。
【００４９】
（付記１３）さらに、発信元の電話番号が前記異常番号として前記メモリに登録されているか否かを判定する第３の判定手段を備え、
前記オフフック手段は、前記第３の判定手段により前記電話番号が前記異常番号として前記メモリに登録されていると判定された場合にオフフックを実行し、
前記計測手段は、前記オフフック手段により実行された前記オフフックからの時間を計測し、
前記第２の判定手段は、前記計測手段により計測された時間が所定時間に達するまでの間に発信が放棄されたか否かを判定するとともに、
前記着信通知手段は、前記第２の判定手段により前記計測された時間が前記所定時間に達するまでの間に発信が放棄されなかったと判定された場合に、使用者に対して着信を通知することを特徴とする前記付記１２に記載の電話機。
【００５０】
（付記１４）さらに、発信元の電話番号が前記異常番号として前記メモリに登録されているか否かを判定する第３の判定手段と、
前記第３の判定手段により前記電話番号が前記異常番号として前記メモリに登録されていると判定された場合にオフフックを実行する第２のオフフック手段と、
前記第２のオフフック手段により実行された前記オフフックの後ただちにオンフックするオンフック手段と、
を備えたことを特徴とする前記付記１２に記載の電話機。
【００５１】
（付記１５）前記計測手段により計測される所定時間は前記使用者により任意に設定されることを特徴とする前記付記１１〜付記１３のいずれか一つに記載の電話機。
【００５２】
【発明の効果】
以上説明したように本発明によれば、メモリに登録されていない番号や以前すぐに切られたことのある番号から電話の着信があったときは、自動応答後の発信元の行動（すぐに切る、しばらく待つなど）から会話の意思の有無が判定され、会話の意思ありと判定された場合のみ着信先が実際に呼び出される（なお、以前すぐに切られたことのある番号については、上記判定を待たず自動即切りとすることも可能）ので、使用者への着信通知に先立って発信元の会話の意思の有無を確認し、当該意思のない間違い電話や、いわゆる「ワン切り」などを取り次がないようにすることで、利便性および使用者の安全性を高めることが可能な電話機の着信制御方法、着信制御プログラムおよび電話機が得られるという効果を奏する。
【図面の簡単な説明】
【図１】この発明の本実施の形態にかかる電話機の全体構成を示す説明図である。
【図２】電話が着信したときの着信処理全体の手順を示すフローチャートである。
【図３】発信元の電話番号が未登録番号であった場合の着信処理（図２ステップＳ５）の手順を詳細に示すフローチャートである。
【図４】発信元の電話番号が後述する異常番号であった場合の着信処理（図２ステップＳ６）の手順を詳細に示すフローチャートである。
【符号の説明】
１  発信制御部
２  操作部
３  表示部
４  着信制御部
５  ＲＡＭ
６  ＲＯＭ
７  タイマ制御部
８  タイマ
９  入出力部
１０  制御部
【図１】
2004260354.tif 000003
【図２】
2004260354.tif 000004
【図３】
2004260354.tif 000005
【図４】
2004260354.tif 000006